(57)【特許請求の範囲】
【請求項１】
水又は湯が通過する通水管を鞘管の挿通孔に挿通して床板の上部に立ち上げ、通水管の先端を床板の上部に配置された継手部材に管継手を介して接続する通水管と継手部材の接続構造において、前記鞘管に通水管を挿通するガイド管を接続し、該ガイド管の他端は床板に穿設した貫通孔から立ち上げ、上端には管継手を収容する収容室が形成された受け具を装着し、受け具は通水管の外周面とガイド管の内周面に水密的に密着するパッキンを備え、受け具の収容室と管継手の外周面の間には隙間が形成され、該受け具により通水管と管継手の間で発生した漏水をパッキンにより受け止め、隙間を伝って外部へ排水することを特徴とする通水管と継手部材の接続構造。
【請求項２】
前記受け具とガイド管のいずれか一方に係止爪を設け、他方に該係止爪に対応する切欠を設け、係止爪の切欠への係合により受け具をガイド管へ装着可能としたことを特徴とする請求項１記載の通水管と継手部材の接続構造。
【発明の詳細な説明】
【０００１】
【発明の属する技術分野】
本発明は、水又は湯が通過する通水管を鞘管に挿通し、該通水管の先端を床板の上部に配置された継手部材に接続する、通水管と継手部材の接続構造に関するものである。
【０００２】
【従来の技術】
一般に集合住宅，戸建住宅等において、洗面台，流し台，浴室，トイレ，洗濯機等の水栓へ給水，給湯配管の施工を行なう場合、建物の躯体工事の際に水，湯用の各ヘッダーと水栓との間で蛇腹状の鞘管をタコ足状に配設しておき、設備工事の際にこの鞘管内に水，又は湯用の通水管を挿通させ、ヘッダーと水栓を接続する鞘管工法が行なわれている。この鞘管工法により鞘管に通水管を挿通し、該通水管を床板の上部に立ち上げて床板の上部に配置された継手部材に接続し、該継手部材から水栓へ水又は湯を供給する構造として公知のものに、図５のものがある。この図５について簡単に説明すると、合成樹脂製の通水管３４は、床板３０と基礎床３１の間に配設され、基礎床３１に配設された鞘管３２及び該鞘管３２に接続され床板３０の貫通孔３０ａに固定したガイド管３３に挿通して保護されながら、床板３０の上部に立ち上げ、床上で装着した管継手３５をクリップ３６により継手部材３７に接続した後に、ガイド管３３の上端に装着しており、この通水管３４を通過した水又は湯は、継手部材３７から該継手部材３７の上端に接続した給水管３８を介して水栓等へ供給されるものである。
【０００３】
上記のものは、通水管は蛇腹状の鞘管とガイド管に挿通させ、先端を床上でガイド管から露出させて継手部材に接続するものであるが、通水管と管継手の接続不良又は劣化等により漏水が発生した場合に、漏水はガイド管から鞘管内に浸入するので、鞘管及びガイド管から溢れ出すまでは発見することができず、漏水を素早く発見することができないという問題があった。
【０００４】
【発明が解決しようとする課題】
本発明が解決しようとする課題は、水又は湯が通過する通水管を鞘管の挿通孔に挿通して床板の上部に立ち上げ、通水管の先端を床板の上部に配置された継手部材に管継手を介して接続する通水管と継手部材の接続構造において、通水管と管継手の間で漏水が発生した場合に素早く発見し、漏水による損害を最小限に抑えることである。
【０００５】
【課題を解決するための手段】
本発明は請求項１では、水又は湯が通過する通水管を鞘管の挿通孔に挿通して床板の上部に立ち上げ、通水管の先端を床板の上部に配置された継手部材に管継手を介して接続する通水管と継手部材の接続構造において、前記鞘管に通水管を挿通するガイド管を接続し、該ガイド管の他端は床板に穿設した貫通孔から立ち上げ、上端には管継手を収容する収容室が形成された受け具を装着し、受け具は通水管の外周面とガイド管の内周面に水密的に密着するパッキンを備え、受け具の収容室と管継手の外周面の間には隙間が形成され、該受け具により通水管と管継手の間で発生した漏水をパッキンにより受け止め、隙間を伝って外部へ排水するものである。
【０００６】
請求項２では請求項１記載の通水管と継手部材の接続構造において、前記受け具とガイド管のいずれか一方に係止爪を設け、他方に該係止爪に対応する切欠を設け、係止爪の切欠への係合により受け具をガイド管へ装着可能としたものである。
【０００７】
【発明の実施の形態】
以下、本発明の実施の形態を図に基づいて詳細に説明する。
本発明の配管構造は図１及び図２に示すように、鞘管３及びガイド管４を挿通した通水管５が床板１の上部に立ち上げられ、継手部材６に接続するものであり、鞘管３に接続したガイド管４が、固定部材４ａによって床板１に穿設した貫通孔１ａに固定されている。
【０００８】
水栓等へ水又は湯を供給するための通水管５は、容易に折曲できる合成樹脂製の架橋ポリエチレン管，架橋ポリブテン管等で形成し、上流側を図示しないヘッダーに接続し、下流側の先端は後述する継手部材６に接続するものであり、この通水管５は、基礎床２の上部に予め配設された蛇腹状の鞘管３の挿通孔３ａに挿通することで、該鞘管３により被覆されて外部から保護されるものであり、通水管５は鞘管３に接続したガイド管４の挿通孔４ｂから上部に向けて垂直方向に立ち上げ、床板１の上部でガイド管４の上端から露出させるものである。
【０００９】
前記継手部材６はハンドル６ａを回転操作することで止水弁６ｂを移動させ、給水管７から水栓等へ供給される水又は湯等の止水，通水及び流量調節を可能としたものであり、一端に開口した入口部６ｃの先端には、クリップ１２を装着するためのフランジ６ｄが環状に形成され、内周面にシール用のＯリング６ｅ，６ｅが間隔をおいて複数個装着されている。なお、本実施例の継手部材は内部に止水弁６ｂを収容しているが、逆止弁，流量調節弁等を収容してもよい。
【００１０】
前記管継手８は通水管５の先端が接続される略円筒状の継手本体９と、該継手本体９に螺着するナット１０と、該ナット１０と継手本体９の間に配設された割りリング１１とを備えている。
【００１１】
前記継手本体９は略円筒状で、一方の先端に前記継手部材６に形成された環状のフランジ６ｄと略同一形状のフランジ９ａを形成し、該フランジ９ａの内周側には、前記継手部材６の入口部６ｃに水密的に挿入される円筒状の嵌合部９ｃがフランジ９ａより突出するように形成され、略中間部の外周面には雄ねじ部９ｂを形成し、該雄ねじ部９ｂの内周側には、所定の間隔をおいて前記通水管５より小径にした円筒状の案内部９ｄが形成されている。該案内部９ｄの先端は雄ねじ部９ｂより突出し、外周面の先端側には溝孔９ｅ，９ｅが軸方向に併設して環状に形成され、該溝孔９ｅ，９ｅには同一形状のシール部材９ｆ，９ｆがそれぞれ装着されている。
【００１２】
前記ナット１０は内周面に前記継手本体９の雄ねじ部９ｂに螺着する雌ねじ部１０ａが形成され、該雌ねじ部１０ａの奥には、通水管５が挿入される開口部１０ｂに向かうにつれて徐々に小径にしたテーパー面１０ｃが形成されている。
【００１３】
前記割りリング１１はナット１０のテーパー面１０ｃの内側に挿入されるものであり、軸方向の一部にスリットを形成することで縮径及び拡径が可能で、内周面には通水管５を容易に挿入するためのテーパー面１１ａ、及び通水管５の外周面を押圧し食い込む凹凸状の食い込み溝１１ｂを形成している。
【００１４】
従って割りリング１１は通水管５の挿入時に拡径するので、継手本体９に容易に挿入させることができるが、通水管５を継手本体９から引き出そうとする力が加わると、割りリング１１は縮径し、食い込み溝１１ｂが通水管５の外周面に深く食い込み、継手本体９から引き出せないようにしている。
【００１５】
前記クリップ１２は管継手８の嵌合部９ｃが継手部材６の入口部６ｃに挿入された状態で、継手部材６のフランジ６ｄと管継手８のフランジ９ａを当接させて両フランジ６ｄ，９ａを挟持し、両物品をワンタッチで離脱不能に接続することができるものである。
【００１６】
前記管継手８は、受け具１３と共にガイド管４の円筒部４ｃの上部先端から挿通孔４ｂに装着することができるものであり、受け具１３は弾性力を有する合成樹脂により形成され、図３及び図４に示すように略半円筒形に形成した２つの分割体１３ａ，１３ａを左右に向かい合わせて連結部１３ｂにより結合し、該連結部１３ｂを中心として弾力的に開閉可能であり、両分割体１３ａ，１３ａを重ね合わせて内側に管継手８が収容される収容室１３ｃが形成され、各分割体１３ａ，１３ａの上端面よりやや下方には、外周に向けて突出する係止爪１３ｄ，１３ｄを形成し、該係止爪１３ｄ，１３ｄはガイド管４の上部先端に向かい合わせて穿設した各切欠４ｄ，４ｄに弾力的に係合させることで、受け具１３は管継手８と共にガイド管４の挿通孔４ｂに着脱自在に装着可能である。なお、本実施例では受け具に係止爪を形成し、ガイド管に切欠を穿設しているが、受け具に切欠を穿設し、ガイド管に係止爪を形成してもよい。
【００１７】
また図１及び図４に示すように、受け具１３は各分割体１３ａ，１３ａの底面にパッキン１３ｆ，１３ｆがそれぞれ装着される。該パッキン１３ｆは通水管５を挿通する挿通孔１３ｅの内周面及び底部外周面を覆う略円弧状の一体形状であり、通水管５の外周面及びガイド管４の挿通孔４ｂの内周面に水密的に密着する。これらの両パッキン１３ｆ，１３ｆが装着されていることにより、通水管５と管継手８の間で接続不良又は劣化等による漏水が発生した場合は、受け具１３の収容室１３ｃに浸入した漏水は、受け具１３の収容室１３ｃと管継手８のナット１０外周面の間に形成される環状の隙間１３ｇを伝って上昇し、受け具１３の上方から外部へ排水されるようにしている。したがって、通水管５と管継手８の接続部から漏水が発生した場合に、ガイド管４の挿通孔４ｂ及び鞘管３の挿通孔３ａに漏水が浸入することはなく、使用者は漏水の発生を素早く発見することができる。
【００１８】
今、通水管５を給水管７下部の継手部材６に接続するには、通水管５を鞘管３に挿通させる前に、通水管５の先端に管継手８を装着する。
【００１９】
次に通水管５を、先端に装着した管継手８と共に鞘管３の挿通孔３ａに挿通し、図２に示すように管継手８をガイド管４の上部に露出させる。そして受け具１３の各分割体１３ａ，１３ａを、連結部１３ｂを中心として分離させ、管継手８を受け具１３の収容室１３ｃに収容し、両分割体１３ａ，１３ａを左右から重なり合うように回転させ、この受け具１３をガイド管４の上部から挿通孔４ｂに挿入し、分割体１３ａ，１３ａの係止爪１３ｄ，１３ｄをガイド管４の各切欠４ｄ，４ｄに弾力的に係合してガイド管４に装着する。
【００２０】
そして管継手８を継手部材６のフランジ６ｄと管継手８のフランジ９ａを互いに重ね合わせた状態で、クリップ１２により両フランジ６ｄ，９ａを挟着して継手部材６と管継手８を結合する。
【００２１】
以上のように本発明では、通水管と継手部材を接続する管継手は、ガイド管の内部で受け具に装着されている。したがって通水管と管継手の間で漏水が発生した場合は、漏水は受け具から外部へ排水されるので、ガイド管及び鞘管に浸入することはなく、漏水の発生を素早く発見することができる。
【００２２】
【発明の効果】
本発明によると、水又は湯が通過する通水管を鞘管の挿通孔に挿通して床板の上部に立ち上げ、通水管の先端を床板の上部に配置された継手部材に管継手を介して接続する通水管と継手部材の接続構造において、前記鞘管に通水管を挿通するガイド管を接続し、該ガイド管の他端は床板に穿設した貫通孔から立ち上げ、上端には管継手を収容する収容室が形成された受け具を装着し、受け具は通水管の外周面とガイド管の内周面に水密的に密着するパッキンを備え、受け具の収容室と管継手の外周面の間には隙間が形成され、該受け具により通水管と管継手の間で発生した漏水をパッキンにより受け止め、隙間を伝って外部へ排水するので、通水管と管継手の接続部から漏水が発生した場合、漏水はガイド管及び鞘管に浸入しないで、受け具から外部へ排水されることで素早く発見し、漏水による損害を最小限に抑えることができる。
【００２３】
さらに、受け具とガイド管のいずれか一方に係止爪を設け、他方に該係止爪に対応する切欠を設け、係止爪の切欠への係合により受け具をガイド管へ装着可能としたので、受け具をガイド管へ容易に装着することができる。
【図面の簡単な説明】
【図１】  通水管と継手部材を管継手により接続した状態の要部縦断面図である。
【図２】  通水管と継手部材の接続構造の説明図である。
【図３】  通水管と継手部材の接続構造の分解斜視図である。
【図４】  受け具の説明図である。
【図５】  従来技術の説明図である。
【符号の説明】
１                      床板
１ａ                    貫通孔
３                      鞘管
３ａ                    挿通孔
４                      ガイド管
４ｄ                    切欠
５                      通水管
６                      継手部材
８                      管継手
１３                    受け具
１３ｃ 収容室
１３ｄ                  係止爪
１３ｆ                  パッキン
１３ｇ 隙間
【図１】
0003888901.tif 000002
【図２】
0003888901.tif 000003
【図３】
0003888901.tif 000004
【図４】
0003888901.tif 000005
【図５】
0003888901.tif 000006